【手続補正書】
【提出日】令和3年3月29日(2021.3.29)
【手続補正１】
【補正対象書類名】特許請求の範囲
【補正対象項目名】全文
【補正方法】変更
【補正の内容】
【特許請求の範囲】
【請求項１】
ソースアクセスおよびモビリティ管理機能(AMF)におけるワイヤレス通信のための方法であって、
ネットワークトリガに少なくとも一部基づいて、ユーザ機器(UE)のためにサポートされる現在の許可ネットワークスライスを修正することを決定するステップと、
前記決定に少なくとも一部基づいて、前記UEのためにサポートされる新規の許可ネットワークスライスを識別するステップと、
前記ソースAMFが前記新規の許可ネットワークスライスをサービスすることができないことを決定するステップと、
前記ソースAMFが前記新規の許可ネットワークスライスをサービスすることができないとの前記決定に少なくとも一部基づいて、登録手順を開始するための前記UEに対する指示を送信するステップと、
前記送信に少なくとも一部基づいてターゲットAMFを選択するステップであって、前記ターゲットAMFが前記新規の許可ネットワークスライスと関連付けられる、ステップと、
前記選択に少なくとも一部基づいてAMF再配置をトリガするステップとを備える、方法。
【請求項２】
少なくとも1つのネットワーク選択支援情報(NSSAI)と関連付けられる有効なネットワークスライスインスタンス(NSI)を前記UEが有することを決定するステップと、
有効なNSIが前記新規の許可ネットワークスライスによってサポートされることを識別するステップとをさらに備える、請求項1に記載の方法。
【請求項３】
前記有効なNSIと関連付けられるすべての既存のプロトコルデータユニット(PDU)セッションのステータスを示すステータス報告を生成するステップとをさらに備える、請求項2に記載の方法。
【請求項４】
前記AMF再配置をトリガするステップがさらに、
前記新規の許可ネットワークスライスに少なくとも一部基づいてAMF再配置要求を前記ターゲットAMFに送信するステップを備え、前記AMF再配置要求が、サポートされ有効である、前記有効なNSIと関連付けられるすべての既存のPDUセッションのステータス、もしくはニューラジオ(NR)グローバル一意一時識別子(GUTI)、または両方を備える、請求項2に記載の方法。
【請求項５】
有効なPDUセッションが前記新規の許可ネットワークスライスによってサポートされないことを識別したことに少なくとも一部基づいて、前記現在の許可ネットワークスライスと関連付けられる前記有効なPDUセッションの解放手順をトリガするステップをさらに備える、請求項1に記載の方法。
【請求項６】
前記解放手順をトリガするステップが、前記UEへの直接シグナリングに少なくとも一部基づく、請求項5に記載の方法。
【請求項７】
ユーザ機器(UE)におけるワイヤレス通信のための方法であって、
ソースアクセスおよびモビリティ管理機能(AMF)から、登録手順を開始するための指示および1つまたは複数の新規の許可ネットワークスライスの指示を受信するステップと、
前記受信に少なくとも一部基づいて登録手順を開始するステップと、
前記受信に少なくとも一部基づいて有効なPDUセッションを識別するステップであって、前記有効なPDUセッションが前記1つまたは複数の新規の許可ネットワークスライスによってサポートされない、ステップと、
前記識別に少なくとも一部基づいて前記有効なPDUセッションをローカルに解放するステップとを備える、方法。
【請求項８】
前記識別子がニューラジオ(NR)グローバル一意一時識別子(GUTI)を備える、請求項7に記載の方法。
【請求項９】
アクセスネットワーク(AN)におけるワイヤレス通信のための方法であって、
UEから、ネットワークスライス選択支援情報(NSSAI)に少なくとも一部基づいて、前記UEの現在の許可ネットワークスライスと関連付けられるソースアクセスおよび管理機能(AMF)からの再配置に対する要求を受信するステップと、
トリガ指示に少なくとも一部基づいて前記NSSAIを修正することを決定するステップと、
前記決定に少なくとも一部基づいて、前記UEのためにサポートされる新規の許可ネットワークスライスを識別するステップと、
前記ソースAMFが前記新規の許可ネットワークスライスをサービスすることができないことを決定するステップと、
前記ソースAMFが前記新規の許可ネットワークスライスをサービスすることができないことに少なくとも一部基づいて、再登録手順を開始するための要求を受信するステップと、
前記要求に少なくとも一部基づいて、前記UEにサービスするためにターゲットAMFを選択するステップと、
前記選択に少なくとも一部基づいてAMF再配置をトリガするステップとを備える、方法。
【請求項１０】
再配置のための前記要求が、前記新規の許可ネットワークスライス、前記UE、または前記ターゲットAMFのうちの少なくとも1つのためのコンテキスト情報を備える、請求項9に記載の方法。
【請求項１１】
前記ターゲットAMFから、前記UEのための更新されたNRグローバル一意一時識別子(GUTI)を受信するステップと、
以前のNR GUTIを、前記UEのための前記受信された更新されたNR GUTIで置き換えるステップとをさらに備える、請求項9に記載の方法。
【請求項１２】
前記UEに、前記更新されたNR GUTI、前記UEの既存の有効なプロトコルデータユニット(PDU)セッションのステータス、前記NSSAIへの前記修正の指示、またはこれらの組合せを備える、構成要求メッセージを送信するステップをさらに備える、請求項9に記載の方法。
【請求項１３】
ワイヤレス通信のための装置であって、
ネットワークトリガに少なくとも一部基づいて、ユーザ機器(UE)のためにサポートされる現在の許可ネットワークスライスを修正することを決定するための手段と、
前記決定に少なくとも一部基づいて、前記UEのためにサポートされる新規の許可ネットワークスライスを識別するための手段と、
ソースアクセスおよびモビリティ管理機能(AMF)が前記新規の許可ネットワークスライスをサービスすることができないことを決定するための手段と、
前記ソースAMFが前記新規の許可ネットワークスライスをサービスすることができないとの前記決定に少なくとも一部基づいて、登録手順を開始するための前記UEに対する指示を送信するための手段と、
前記送信に少なくとも一部基づいてターゲットAMFを選択するための手段であって、前記ターゲットAMFが前記新規の許可ネットワークスライスと関連付けられる、手段と、
前記選択に少なくとも一部基づいてAMF再配置をトリガするための手段とを備える、装置。
【請求項１４】
ワイヤレス通信のための装置であって、
ソースアクセスおよびモビリティ管理機能(AMF)から、登録手順を開始するための指示および1つまたは複数の新規の許可ネットワークスライスの指示を受信するための手段と、
前記受信に少なくとも一部基づいて登録手順を開始するための手段と、
前記受信に少なくとも一部基づいて有効なPDUセッションを識別するための手段であって、前記有効なPDUセッションが前記1つまたは複数の新規の許可ネットワークスライスによってサポートされない、手段と、
前記識別に少なくとも一部基づいて前記有効なPDUセッションをローカルに解放するための手段とを備える、装置。
【請求項１５】
ワイヤレス通信のための装置であって、
ユーザ機器(UE)から、ネットワークスライス選択支援情報(NSSAI)を備える無線リソース制御(RRC)接続要求を受信するための手段と、
前記NSSAIに少なくとも一部基づいて、前記UEの現在の許可ネットワークスライスと関連付けられるソースアクセスおよび管理機能(AMF)を識別するための手段と、
トリガ指示に少なくとも一部基づいて、前記NSSAIを修正することを決定するための手段と、
前記決定に少なくとも一部基づいて前記UEのためにサポートされる新規の許可ネットワークスライスを識別するための手段と、
前記ソースAMFが前記新規の許可ネットワークスライスをサービスすることができないことを決定するための手段と、
前記ソースAMFが前記新規の許可ネットワークスライスをサービスすることができないことに少なくとも一部基づいて、再登録手順を開始するための要求を受信するための手段と、
前記要求に少なくとも一部基づいて、前記UEにサービスするためにターゲットAMFを選択するための手段と、
前記選択に少なくとも一部基づいてAMF再配置をトリガするための手段とを備える、装置。